(57)【要約】  本発明におけるマッサージ機は、ハウジング（１０）と、対向的に設けられた２つのマッサージヘッドアセンブリ（２０）と、ハウジング（１０）内に設けられた駆動アセンブリ（３０）とを含み、２つのマッサージヘッドアセンブリ（２０）は、駆動アセンブリの駆動によって相対的に揺動して揉みマッサージを形成し、２つのマッサージヘッドアセンブリ（２０）が互いに近接して揺動する時、他のマッサージヘッドアセンブリ（２０）に近い各マッサージヘッドアセンブリ（２０）の内側とハウジングの表面との間の角度はαであり、αの角度範囲はα≦５４°であり、２つのマッサージヘッドアセンブリ（２０）が互いに離れて揺動する時、他のマッサージヘッドアセンブリ（２０）から離れた各マッサージヘッドアセンブリ（２０）の外側とハウジング（１０）の表面との間の角度はβであり、βの角度範囲はβ≧２３°である。本発明では、２つのマッサージヘッドアセンブリ（２０）が互いに近接してまたは離れて揺動する時、各マッサージヘッドアセンブリ（２０）の内側、外側とハウジング（１０）の表面との間の角度α、βをそれぞれ上記角度に制限すると、指を圧迫しない。
2020528769.tif 000002
【特許請求の範囲】
【請求項１】
ハウジングと、前記ハウジングから張り出して対向的に設けられた２つのマッサージヘッドアセンブリと、前記ハウジング内に設けられて２つの前記マッサージヘッドアセンブリの移動を駆動可能な駆動アセンブリとを含むマッサージ機であって、
２つの前記マッサージヘッドアセンブリは、前記駆動アセンブリの駆動によって相対的に揺動して揉みマッサージを形成し、２つの前記マッサージヘッドアセンブリが互いに近接して揺動している時、各前記マッサージヘッドアセンブリの他のマッサージヘッドアセンブリに近い内側と前記ハウジングの表面との間には角度αが形成されており、前記角度αの角度範囲はα≦５４°であり、２つの前記マッサージヘッドアセンブリが互いに離れて揺動している時、各前記マッサージヘッドアセンブリの他のマッサージヘッドアセンブリから離れた外側と前記ハウジングの表面との間には角度βが形成されており、前記角度βの角度範囲はβ≧２３°であることを特徴とするマッサージ機。
【請求項２】
２つの前記マッサージヘッドアセンブリが互いに近接して揺動している時、各前記マッサージヘッドアセンブリの他のマッサージヘッドアセンブリに近い内側の最低点から前記ハウジングの表面の最高点までの高さはＨ１であり、Ｈ１の範囲はＨ１≦１０ｍｍであり、２つの前記マッサージヘッドアセンブリが互いに離れて揺動している時、各前記マッサージヘッドアセンブリの他のマッサージヘッドアセンブリから離れた外側の最低点から前記ハウジングの表面の最高点までの高さはＨ２であり、Ｈ２の範囲はＨ２≧１５ｍｍであることを特徴とする請求項１に記載のマッサージ機。
【請求項３】
前記駆動アセンブリは、駆動モータと、前記駆動モータによって駆動され、２つの前記マッサージヘッドアセンブリをそれぞれ揺動させることができる２つの偏心ホイールアセンブリとを含み、ガイド台座は、前記ハウジングにおいて各前記偏心ホイールアセンブリの両側にそれぞれ設けられ、各前記ガイド台座には、前記偏心ホイールアセンブリに向かって開口するガイド溝が設けられ、各前記偏心ホイールアセンブリの両側には、各前記ガイド溝内に挿入でき、前記ガイド溝内を摺動できる位置決めポストがそれぞれ設けられることを特徴とする請求項１に記載のマッサージ機。
【請求項４】
前記駆動アセンブリは、伝動アセンブリおよび伝動軸をさらに含み、前記伝動アセンブリは、前記駆動モータによって駆動される第１のギアと、前記第１のギアと噛み合う第２のギアとを含み、２つの前記偏心ホイールアセンブリは、それぞれ前記伝動軸の両端部に位置し、前記第２のギアは前記伝動軸に外嵌され、一方の前記偏心ホイールアセンブリの内側に位置することを特徴とする請求項３に記載のマッサージ機。
【請求項５】
前記ハウジングには、各前記マッサージヘッドアセンブリを張り出させる取り付け開口部が設けられ、各前記取り付け開口部ごとに補助カバーが設けられ、前記補助カバーは、前記マッサージヘッドアセンブリに嵌着され、前記マッサージヘッドアセンブリと共に移動可能であり、前記補助カバーは、前記マッサージヘッドアセンブリと前記取り付け開口部との間の隙間を遮蔽することを特徴とする請求項１〜４のいずれか一項に記載のマッサージ機。
【請求項６】
ハウジングの前記取り付け開口部の縁にある箇所は上へ膨らんで第１の球面の形状を呈し、前記補助カバーは上へ膨らんで第２の球面の形状を呈し、前記第１の球面の球心は前記第２の球面の球心と重なり合うことを特徴とする請求項５に記載のマッサージ機。
【請求項７】
前記マッサージヘッドアセンブリは、前記駆動アセンブリに接続された駆動ブラケットと、前記駆動ブラケットに固定されたマッサージヘッドブラケットと、前記マッサージヘッドブラケットに設けられたマッサージヘッドとを含み、前記補助カバーの中部に貫通孔があり、前記駆動ブラケットは前記貫通孔内に穿設され、前記補助カバーの外縁は前記取り付け開口部の内側に入ることを特徴とする請求項５に記載のマッサージ機。
【請求項８】
前記取り付け開口部には軟質ゴムスリーブが設けられ、前記軟質ゴムスリーブの開口には位置決めリングが設けられ、前記マッサージヘッドアセンブリは前記軟質ゴムスリーブおよび前記位置決めリングを貫通することを特徴とする請求項５に記載のマッサージ機。
【請求項９】
前記軟質ゴムスリーブは褶曲して環状突起が形成され、前記位置決めリングは前記環状突起に固定されることを特徴とする請求項８に記載のマッサージ機。
【請求項１０】
前記ハウジングにはシリコーン保護カバーが被覆され、前記軟質ゴムスリーブは前記シリコーン保護カバーと一体成形されることを特徴とする請求項８に記載のマッサージ機。
【請求項１１】
複数の前記マッサージヘッドは、前記マッサージヘッドブラケットの縁に沿って順次配置された第１のマッサージヘッドと、第２のマッサージヘッドと、第３のマッサージヘッドと、第４のマッサージヘッドと、第５のマッサージヘッドとを含み、前記マッサージヘッドブラケットが縦方向に配置された時の前記第３のマッサージヘッドの水平中心線を参照として、前記第１のマッサージヘッドの中心と前記第３のマッサージヘッドの中心を結ぶ線と前記水平中心線との間には角度αが形成されており、前記角度αの角度範囲は５５°〜７５°であり、前記第２のマッサージヘッドの中心と前記第３のマッサージヘッドの中心を結ぶ線と前記水平中心線との間には角度βが形成されており、前記角度βの角度範囲は７０°〜９０°であり、前記第４のマッサージヘッドの中心と前記第３のマッサージヘッドの中心を結ぶ線と前記水平中心線との間には角度γが形成されており、前記角度γの角度範囲は５５°〜７５°であり、前記第５のマッサージヘッドの中心と前記第３のマッサージヘッドの中心を結ぶ線と前記水平中心線との間には角度θが形成されており、前記角度θの角度範囲は３５°〜５５°であることを特徴とする請求項７に記載のマッサージ機。
【請求項１２】
前記角度αは６２°であり、前記角度βは８０°であり、前記角度γは６８°であり、前記角度θは４７°であることを特徴とする請求項１１に記載のマッサージ機。
【請求項１３】
前記第１のマッサージヘッド、前記第２のマッサージヘッド、前記第３のマッサージヘッド、前記第４のマッサージヘッド、および前記第５のマッサージヘッドは、異なる高さを有することを特徴とする請求項１１に記載のマッサージ機。
【請求項１４】
前記第３のマッサージヘッドの高さ値は最大であり、前記第１のマッサージヘッド、前記第２のマッサージヘッドおよび前記第４のマッサージヘッドの高さ値は同じであり、前記第３のマッサージヘッドの高さ値に次いで、前記第５のマッサージヘッドの高さ値は最小であることを特徴とする請求項１３に記載のマッサージ機。
【請求項１５】
前記マッサージヘッドブラケットは、プラスチック底板と、前記プラスチック底板に設けられ、間隔をおいて配置された５つのプラスチック突起とを含み、前記プラスチック底板にはシリコーンスリーブが被覆され、シリコーンスリーブには、５つの前記プラスチック突起にそれぞれカバーできる５つのシリコーンマッサージコンタクトが設けられ、５つの前記プラスチック突起と５つの前記シリコーンマッサージコンタクトの組み合わせによって、前記第１のマッサージヘッド、第２のマッサージヘッド、第３のマッサージヘッド、第４のマッサージヘッドおよび第５のマッサージヘッドを形成することを特徴とする請求項１１に記載のマッサージ機。
【請求項１６】
前記第１のマッサージヘッドと前記第２のマッサージヘッドとの間の距離はＬ１であり、前記第２のマッサージヘッドと前記第３のマッサージヘッドとの間の距離はＬ２であり、前記第３のマッサージヘッドと前記第４のマッサージヘッドとの間の距離はＬ３であり、前記第４のマッサージヘッドと前記第５のマッサージヘッドとの間の距離はＬ４であり、ただし、Ｌ１＞Ｌ４＞Ｌ２＝Ｌ３であることを特徴とする請求項１１〜１５のいずれか一項に記載のマッサージ機。
【請求項１７】
複数の前記マッサージヘッドは、前記マッサージヘッドブラケットの中部に設けられた発熱マッサージヘッドをさらに含み、前記発熱マッサージヘッドは、収容チャンバーを有するマッサージ接触部と、前記収容チャンバーの内壁に沿って貼付された可撓性発熱シートと、前記可撓性発熱シートに電気的に接続されたリード線と、前記収容チャンバー内に挿入されて前記可撓性発熱シートに押し付けられた押圧ポストと、前記押圧ポストの底部に設けられ、固定のために前記収容チャンバーの外側に位置する底板とを含み、前記押圧ポストは、中空構造を有し、前記底板に連通しており、前記リード線は、前記押圧ポストおよび前記底板を経由して制御回路に電気的に接続されることを特徴とする請求項１１または請求項１２に記載のマッサージ機。
【請求項１８】
前記可撓性発熱シートは、中央に位置する内側発熱部と、前記内側発熱部の縁に沿って均一に分布する複数の外側発熱部とを含み、隣接する両前記外側発熱部の間に間隔があることを特徴とする請求項１７に記載のマッサージ機。
【発明の詳細な説明】
【技術分野】
【０００１】
本発明は、マッサージの技術分野に属し、より具体的にはマッサージ機に関する。
【背景技術】
【０００２】
既存のマッサージ機では、マッサージ機の本体に取り付け開口部が設けられ、マッサージヘッドアセンブリが取り付け開口部から突出し、マッサージ中にマッサージヘッドアセンブリが揺動または振動するため、マッサージヘッドアセンブリ用の十分な移動スペースを確保するために、取り付け開口部とマッサージヘッドアセンブリとの間に隙間が確保される。通常、マッサージヘッドの外部には布カバーが付いているが、布カバーの材質が柔軟であるため、隙間が残っており、操作中に指を挟む可能性があり、安全上の問題がある。
【発明の概要】
【発明が解決しようとする課題】
【０００３】
本発明の実施例の目的は、第１の態様では、従来技術における指を挟むという技術的問題を解決するためのマッサージ機を提供することである。
【課題を解決するための手段】
【０００４】
上記の技術的問題を解決するために、本発明の実施例によって採用される技術的解決手段は次のとおりである。
第１の態様は、ハウジングと、前記ハウジングから張り出して対向的に設けられた２つのマッサージヘッドアセンブリと、前記ハウジング内に設けられて２つの前記マッサージヘッドアセンブリの移動を駆動可能な駆動アセンブリとを含んでおり、２つの前記マッサージヘッドアセンブリは、前記駆動アセンブリの駆動によって相対的に揺動して揉みマッサージを形成し、２つの前記マッサージヘッドアセンブリが互いに近接して揺動する時、他のマッサージヘッドアセンブリに近い各前記マッサージヘッドアセンブリの内側と前記ハウジングの表面との間の角度はαであり、αの角度範囲はα≦５４°であり、２つの前記マッサージヘッドアセンブリが互いに離れて揺動する時、他のマッサージヘッドアセンブリから離れた各前記マッサージヘッドアセンブリの外側と前記ハウジングの表面との間の角度はβであり、βの角度範囲はβ≧２３°であるマッサージ機を提供する。
【発明の効果】
【０００５】
従来技術と比較して、本発明の実施例に係るマッサージ機の有益な効果は以下のとおりである。マッサージヘッドアセンブリは駆動アセンブリの駆動によって相対的に揺動するので、２つのマッサージヘッドアセンブリは互いに近接しまたは離れ、その間に、各マッサージヘッドアセンブリの内側および外側はいずれもハウジングと角度を形成し、２つのマッサージヘッドアセンブリが互いに近接する時、内側とハウジングの表面との間の角度αは最小となり、最小値がα≦５４°の場合、角度αが小さすぎて、指が届かないため、指を挟んで傷つけなく、この時、外側とハウジングの表面との間の角度は最大となり、指を挟む問題はない。２つのマッサージヘッドアセンブリが互いに離れる時、マッサージヘッドアセンブリの外側とハウジングの表面との間の角度βは最小となり、最小値がβ≧２３°の場合、外側とハウジングとの間の角度の隙間は、指が挿入されても圧迫されないように十分に大きいため、操作中に指を挟んで傷つけることが根本的に回避される。
【０００６】
本発明の実施例における技術的解決手段をより明確に説明するために、以下、実施例または従来技術の説明で使用される図面を簡単に紹介する。当然のことながら、以下の説明における図面は、本発明のいくつかの実施例に過ぎず、当業者であれば、創造的労働を要することなく、これらの図面に基づく他の図面を得ることができる。
【図面の簡単な説明】
【０００７】
【図１】本発明の実施例に係る首マッサージ機の側面模式図である。
【図２】本発明の実施例に係る首マッサージ機の側面模式図である。
【図３】本発明の実施例に係る首マッサージ機におけるハウジングの内側部分の概略構造図である。
【図４】本発明の実施例に係る首マッサージ機におけるマッサージヘッドアセンブリおよび駆動アセンブリの実装を示す概略構造図である。
【図５】本発明の実施例に係る首マッサージ機の部分分解模式図である。
【図６】本発明の実施例に係る首マッサージ機における補助カバーおよび本体の部分分解模式図である。
【図７】本発明の実施例に係る首マッサージ機におけるマッサージヘッドアセンブリを縦方向に配置する場合の概略構造図である。
【図８】本発明の実施例に係る首マッサージ機におけるマッサージヘッドアセンブリの側面図である。
【図９】本発明の実施例におけるプラスチック底板およびシリコーンスリーブの分解模式図である。
【図１０】本発明の実施例における発熱マッサージヘッドの可撓性発熱シートの概略構造図である。
【図１１】本発明の実施例に係る発熱マッサージヘッドにおける押圧ポストの概略構造図である。
【発明を実施するための形態】
【０００８】
本発明の目的、技術的解決手段および利点をより明らかにするために、以下、図面および実施例を参照して本発明をより詳細に説明する。ここで説明される具体的な実施例は本発明を解釈するためのものに過ぎず、本発明を限定するためのものではないことを理解すべきである。
なお、ある部材が別の部材に「固定」または「設置」されると言われている場合、それは別の部材に直接的または間接的に位置することが可能である。ある部材が別の部材に「接続」されると言われている場合、それは別の部材に直接的または間接的に接続することが可能である。
【０００９】
さらに、本発明の実施例の図面における同一または類似の符号は、同一または類似の部材に対応する。本発明の説明において、「上」、「下」、「左」、「右」などの用語によって指示される向きや位置関係は、図面に示された向きや位置関係に基づき、本発明の記述と簡単化記述のための便宜上のものに過ぎず、言及された装置または部材が特定の向きを有し、特定の向きで構築および操作する必要性を指示または示唆するものでないので、図面において位置関係を示す用語は例示的な記述であり、本発明の範囲を限定するものと解釈されるべきではなく、その特定の意味は、当業者によって具体的な状況に応じて理解され得る。
【００１０】
なお、「第１の」、「第２の」という用語は説明するためのものに過ぎず、相対的な重要性を指示や示唆するもの、あるいは指示される技術的特徴の数を暗示的に表示するものとして理解できない。これにより、「第１の」、「第２の」を定義する特徴は、１つ以上の当該特徴を明示的または暗黙的に含み得る。本発明の説明では、特に限定されていない限り、「複数」は２つ以上を意味する。
【００１１】
本発明に記載の技術的解決手段を説明するために、特定の図面を参照して、特定の実施例により、本発明によるマッサージ機の実現を以下で詳細に説明する。
図１乃至図２を参照し、本発明の実施例は、首マッサージ機を例としてマッサージ機の構造を詳細に説明する。もちろん、マッサージ機構造は首マッサージ機に限定されない。具体的には、首マッサージ機は、ハウジング１０と、ハウジング１０から張り出して対向的に設けられた２つのマッサージヘッドアセンブリ２０と、ハウジング１０内に設けられて２つのマッサージヘッドアセンブリ２０の移動を駆動可能な駆動アセンブリ３０とを含み、２つのマッサージヘッドアセンブリ２０は、駆動アセンブリ３０の駆動によって相対的に揺動して揉みマッサージを形成し、２つのマッサージヘッドアセンブリ２０が互いに近接して揺動する時、他のマッサージヘッドアセンブリ２０に近い各マッサージヘッドアセンブリ２０の内側２６とハウジング１０の表面との間の角度はαであり、αの角度範囲はα≦５４°であり、２つのマッサージヘッドアセンブリ２０が互いに離れて揺動する時、他のマッサージヘッドアセンブリ２０から離れた各マッサージヘッドアセンブリ２０の外側２５とハウジング１０の表面との間の角度はβであり、βの角度範囲はβ≧２３°である。
【００１２】
本実施例において、マッサージヘッドアセンブリ２０は駆動アセンブリ３０の駆動によって相対的に揺動するので、２つのマッサージヘッドアセンブリ２０は互いに近接しまたは離れ、その間に、各マッサージヘッドアセンブリ２０の内側２６および外側２５はいずれもハウジング１０と角度を形成し、図１に示すように、２つのマッサージヘッドアセンブリ２０が互いに近接する時、内側２６とハウジング１０の表面との間の角度αは最小となり、最小値がα≦５４°の場合、角度αが小さすぎて、指が届かないため、指を挟んで傷つけなく、この時、外側２５とハウジング１０の表面との角度は最大となり、指を挟む問題はない。２つのマッサージヘッドアセンブリ２０が互いに離れる時、マッサージヘッドアセンブリ２０の外側２５とハウジング１０の表面との間の角度βは最小となり、最小値がβ≧２３°の場合、外側２５とハウジング１０との間の角度の隙間は、指が挿入されても圧迫されないように十分に大きいため、操作中に指を挟んで傷つけることが根本的に回避される。
【００１３】
さらに、図１に示すように、２つのマッサージヘッドアセンブリ２０が互いに近接して揺動する時、他のマッサージヘッドアセンブリ２０に近い各マッサージヘッドアセンブリ２０の内側２６の最低点からハウジング１０の表面の最高点までの高さはＨ１であり、Ｈ１の範囲はＨ１≦１０ｍｍであり、Ｈ１は可能な限り小さくし、すなわち、内側２６とハウジング１０の表面との間の隙間が小さいほど、指が届かず、指を挟んで傷つけることが回避される。２つのマッサージヘッドアセンブリ２０が互いに離れて揺動する時、他のマッサージヘッドアセンブリ２０から離れた各マッサージヘッドアセンブリ２０の外側２５の最低点からハウジング１０の表面の最高点までの高さはＨ２であり、Ｈ２の範囲はＨ２≧１５ｍｍであり、Ｈ２は可能な限り大きくし、すなわち、外側２５とハウジング１０の表面との間の隙間が大きいほど、指が挿入されても挟まない。
【００１４】
具体的には、図３および図４を参照し、駆動アセンブリ３０は、駆動モータ３１と、駆動モータ３１によって駆動され、マッサージヘッドアセンブリ２０を揺動させることができる偏心ホイールアセンブリ３２とを含み、ガイド台座１１は、ハウジング１０において偏心ホイールアセンブリ３２の両側にそれぞれ設けられ、各ガイド台座１１には、偏心ホイールアセンブリ３２に向かって開口するガイド溝１２が設けられ、偏心ホイールアセンブリ３２の両側には、各ガイド溝１２内に挿入でき、ガイド溝１２内を摺動できる位置決めポスト１３がそれぞれ設けられる。こうして、ガイド溝１２による位置決めポスト１３の位置決めは、偏心ホイールアセンブリ３２の往復揺動をより安定させ、それにより、マッサージヘッドアセンブリ２０の揺動をより安定させ、マッサージヘッドのマッサージ体験を向上させる。
【００１５】
具体的には、偏心ホイールアセンブリ３２は、外側に設けられた偏心ホイールハウジング３２１および２つのカバー３２２を備え、２つのカバー３２２は、偏心ホイールの軸方向に沿って前記偏心ホイールハウジング３２１の内側と外側にそれぞれ配置され、２つの位置決めポスト１３は、偏心ホイールハウジング３２１の両側にそれぞれ設けられる。本実施例において、上記偏心ホイールアセンブリ３２が偏心構造を利用してマッサージヘッドアセンブリ２０の移動を駆動する構造および原理は、従来のマッサージ機のものと同じであり、ここでは詳細に図示されない。
【００１６】
さらに、駆動アセンブリ３０は、伝動アセンブリおよび伝動軸３３をさらに含み、伝動アセンブリは、駆動モータ３１によって駆動される第１のギア３４と、第１のギア３４と噛み合う第２のギア３５を含み、２つの偏心ホイールアセンブリ３２は、それぞれ伝動軸３３の両端部に位置し、第２のギア３５は伝動軸３３に挿通され、一方の偏心ホイールアセンブリ３２の内側に位置する。
【００１７】
図５および図６を参照し、本実施例において、ハウジング１０には、各マッサージヘッドアセンブリ２０を張り出させる取り付け開口部１４が設けられ、各取り付け開口部１４ごとに補助カバー４０が設けられ、補助カバー４０は、マッサージヘッドアセンブリ２０に挿通され、マッサージヘッドアセンブリ２０と共に移動可能であり、補助カバー４０は、マッサージヘッドアセンブリ２０と取り付け開口部１４との間の隙間を遮蔽する。こうして、マッサージ中に、指が隙間に入って傷つくことが回避され、また、補助カバー４０がマッサージヘッドアセンブリ２０と共に移動可能であるため、マッサージヘッドアセンブリ２０のマッサージ動作に影響を与えない。
【００１８】
具体的には、取り付け開口部１４の縁にあるハウジング１０の箇所は上へ膨らんで第１の球面状を形成し、補助カバー４０は上へ膨らんで第２の球面状を形成し、第１の球面１５の球心は第２の球面４１の球心と重なり合っている。第１の球面１５の球心が第２の球面４１の球心と重なり合うので、第２の球面状の第２の補助カバー４０は、マッサージヘッドアセンブリ２０と共に任意の角度に移動する時にも隙間を遮蔽することができ、それにより、指の挿入が回避され、安全に使用することが確保される。
【００１９】
マッサージヘッドアセンブリ２０は、駆動アセンブリ３０に接続された駆動ブラケット２１と、駆動ブラケット２１に固定されたマッサージヘッドブラケット２２と、マッサージヘッドブラケット２２に設けられたマッサージヘッド２３とを含み、補助カバー４０の中央に貫通孔４２があり、駆動ブラケット２１は貫通孔４２内に穿設され、補助カバー４０の外縁は取り付け開口部１４の内側に入る。ここで、補助カバー４０の外縁は取り付け開口部１４の内側に入るとは、補助カバー４０が取り付け開口部１４内に位置決めされ、取り付け開口部１４の範囲内でマッサージヘッドブラケット２２と共に移動することを意味する。
【００２０】
さらに、取り付け開口部１４には軟質ゴムスリーブ５０が設けられ、軟質ゴムスリーブ５０の開口には位置決めリング６０が設けられ、マッサージヘッドアセンブリ２０は軟質ゴムスリーブ５０および位置決めリング６０を貫通する。マッサージヘッドアセンブリ２０が取り付け開口部１４から張り出すと、取り付け開口部１４に設けられた軟質ゴムスリーブ５０は、取り付け開口部１４を遮蔽して、取り付け開口部１４への手の挿入による傷が回避される一方で、取り付け開口部１４をより美しくし、そして、マッサージヘッドアセンブリ２０が軟質ゴムスリーブ５０を貫通するため、マッサージヘッドアセンブリ２０が移動すると軟質ゴムスリーブ５０が引っ張られてノイズが発生するが、設けられた位置決めリング６０が軟質ゴムスリーブ５０を固定するため、軟質ゴムスリーブ５０が小さく引っ張られ、ノイズがさらに低減され、ユーザにより良いマッサージ体験を与えると同時に、位置決めリング６０の固定によって、引っ張りによる軟質ゴムスリーブ５０の摩耗も回避される。
【００２１】
具体的には、軟質ゴムスリーブ５０は褶曲して環状突起５１が形成され、位置決めリング６０が環状突起５１に固定される。位置決めリング６０は環状突起５１に設けられ、軟質ゴムスリーブ５０を押圧する。
【００２２】
本実施例において、ハウジング１０にはシリコーン保護カバー７０が被覆され、軟質ゴムスリーブ５０はシリコーン保護カバー７０と一体的に成形される。マッサージ中にシリコーン保護カバー７０が首に接触し、ハウジング１０外側に一体的に成形されるシリコーン保護カバー７０を設けていることで、ハウジング１０を損傷することなくシリコーン保護カバー７０を洗浄しやすい。
【００２３】
図７乃至図９を参照し、複数のマッサージヘッドは、マッサージヘッドブラケット２２の縁に沿って順次配置された第１のマッサージヘッド２２１と、第２のマッサージヘッド２２２と、第３のマッサージヘッド２２３と、第４のマッサージヘッド２２４と、第５のマッサージヘッド２２５とを含み、マッサージヘッドブラケット２２が縦方向に配置された時の第３のマッサージヘッド２２３の水平中心線ＯＯ’を参照として、第１のマッサージヘッド２２１の中心と第３のマッサージヘッド２２３の中心を結ぶ線ＯＡと水平中心線ＯＯ’との間の角度はαであり、αの角度範囲は５５°〜７５°であり、第２のマッサージヘッド２２２の中心と第３のマッサージヘッド２２３の中心を結ぶ線ＯＢと水平中心線ＯＯ’との間の角度はβであり、βの角度範囲は７０°〜９０°であり、第４のマッサージヘッド２２４の中心と第３のマッサージヘッド２２３の中心を結ぶ線ＯＣと水平中心線ＯＯ’との間の角度はγであり、γの角度範囲は５５°〜７５°であり、第５のマッサージヘッド２２５の中心と第３のマッサージヘッド２２３の中心を結ぶ線ＯＤと水平中心線ＯＯ’との間の角度はθであり、θの角度範囲は３５°〜５５°である。
【００２４】
本実施例において、マッサージヘッドアセンブリは、主に首のマッサージに適用され、首のツボの位置に従って５つのマッサージヘッドの相対位置を具体化し、こうして、首マッサージ機に応用される場合、ツボに対してより良くマッサージでき、また、５つのマッサージヘッドをこのように設置すると、人間の手をより良くシミュレートして捏ねることができ、マッサージ効果がより良好であり、そして、首マッサージ機を順方向または逆方向に使用する場合、５つのマッサージヘッドの位置が変化するため、様々なツボをマッサージすることができる。例えば、首マッサージ機が順方向に首に置かれる場合、親指に対応する第１のマッサージヘッド２２１は、首の風池ツボに対向し、首マッサージ機が逆方向に首に置かれる場合、親指に対応する第１のマッサージヘッド２２１は、首の肩井ツボに対向し、こうして、マッサージヘッドは、首の様々なツボをマッサージし、マッサージ体験を向上させることができる。
【００２５】
具体的には、好ましい実施例として、αは６２°であり、βは８０°であり、γは６８°であり、θは４７°である。第１のマッサージヘッド２２１、第２のマッサージヘッド２２２、第４のマッサージヘッド２２４および第５のマッサージヘッド２２５が第３のマッサージヘッド２２３に対してそれぞれ上記角度となる場合、首のツボにより良くフィットし、マッサージ効果が向上する。
【００２６】
第１のマッサージヘッド２２１、第２のマッサージヘッド２２２、第３のマッサージヘッド２２３、第４のマッサージヘッド２２４、および第５のマッサージヘッド２２５は、異なる高さを有する。すなわち、各マッサージヘッドの高さは全く同じではない。
本実施例において、第３のマッサージヘッド２２３の高さ値は最大で、約１４．１ｍｍであり、第１のマッサージヘッド２２１、第２のマッサージヘッド２２２および第４のマッサージヘッド２２４の高さ値は同じで、約１１．１ｍｍであり、第５のマッサージヘッド２２５の高さ値は最小で、約７．１ｍｍである。代わりに、各マッサージヘッドの高さを互いに異なるように設定してもよい。
【００２７】
図９を参照し、マッサージヘッドブラケット２２は、プラスチック底板２２６と、プラスチック底板２２６に設けられ、間隔をおいて配置された５つのプラスチック突起２２７とを含み、プラスチック底板２２６にはシリコーンスリーブ２２８が被覆され、シリコーンスリーブ２２８には、５つのプラスチック突起２２７にそれぞれカバーできる５つのシリコーンマッサージコンタクト２２９が設けられ、５つのプラスチック突起２２７と５つのシリコーンマッサージコンタクト２２９の組み合わせによって、第１のマッサージヘッド２２１、第２のマッサージヘッド２２２、第３のマッサージヘッド２２３、第４のマッサージヘッド２２４および第５のマッサージヘッド２２５を形成する。
【００２８】
本実施例において、プラスチック底板２２６およびシリコーンスリーブ２２８はそれぞれ成形してから組み立てられ、金型の構造が簡単であり、コストが低い。内側にあるプラスチック底板２２６およびプラスチック突起２２７は骨格を支える役割を果たし、外側にあるシリコーンスリーブ２２８およびシリコーンマッサージコンタクト２２９は柔軟であり、両者が一体的に成形された後、内側が硬くて外側が柔らかくなり、マッサージヘッドの快適さが向上する。
【００２９】
本実施例において、プラスチック底板２２６およびシリコーンスリーブ２２８がそれぞれ成形した後、オーバーモールドによって一体的に成形することが好ましく、それにより、生産効率がより高くなり、コストがより低くなる。もちろん、プラスチック底板２２６とシリコーンスリーブ２２８は、接着剤固定接続など、他の固定接続方法を採用してもよい。
【００３０】
さらに、図７に示すように、本実施例において、第１のマッサージヘッド２２１と第２のマッサージヘッド２２２との間の距離はＬ１であり、第２のマッサージヘッド２２２と第３のマッサージヘッド２２３との間の距離はＬ２であり、第３のマッサージヘッド２２３と第４のマッサージヘッド２２４との間の距離はＬ３であり、第４のマッサージヘッド２２４と第５のマッサージヘッド２２５との間の距離はＬ４である。ただし、Ｌ１＞Ｌ４＞Ｌ２＝Ｌ３である。
【００３１】
図１０および図１１を参照し、本実施例において、複数のマッサージヘッドは、マッサージヘッドブラケット２２の中央に設けられた発熱マッサージヘッド２４をさらに含む。発熱マッサージヘッド２４は、収容チャンバーを有するマッサージコンタクト２４１と、収容チャンバーの内壁に沿って貼付された可撓性発熱シート２４２と、可撓性発熱シート２４２に電気的に接続されたリード線２４３と、収容チャンバー内に挿入して可撓性発熱シート２４２に押し付けられた押圧ポスト２４４と、押圧ポスト２４４の底部に設けられ、固定のために収容チャンバーの外側に位置する底板２４５とを含み、押圧ポスト２４４は、中空構造を有し、底板２４５に連通しており、リード線２４３は、押圧ポスト２４４および底板２４５を経由して前記制御回路に電気的に接続される。可撓性発熱シート２４２は、マッサージコンタクト２４１の収容チャンバー内に設けられ、発熱シートとマッサージコンタクト２４１との貼着をより強固にし、マッサージコンタクト２４１が均一に加熱されるようにし、発熱性能を向上させ、それにより、マッサージ中にツボに対するホットコンプレッション効果を高め、マッサージ効果を改善する。
【００３２】
さらに、可撓性発熱シート２４２は、中央に位置する内側発熱部２４６と、内側発熱部２４６の縁に沿って均一に分布する複数の外側発熱部２４７とを含み、隣接する両外側発熱部２４７の間に間隔２４８がある。発熱シートが可撓性材料からなるため、外側発熱部２４７の間に間隔２４８を設けることによって、可撓性発熱シート２４２をしわなく収容チャンバーの内壁に貼付することが便利である。
【００３３】
上記は本発明の好適な実施例に過ぎず、本発明を限定するものではない。当業者であれば、様々な変更および変形を行うことができる。本発明の精神および原則を逸脱しない範囲においてなされたあらゆる修正、等価置換及び改良などは、本発明の特許請求の範囲に含まれるはずである。
【符号の説明】
【００３４】
１０  ハウジング
１１  ガイド台座
１２  ガイド溝
１３  位置決めポスト
１４  取り付け開口部
１５  第１の球面
２０  マッサージヘッドアセンブリ
２１  駆動ブラケット
２２  マッサージヘッドブラケット
２２１  第１のマッサージヘッド
２２２  第２のマッサージヘッド
２２３  第３のマッサージヘッド
２２４  第４のマッサージヘッド
２２５  第５のマッサージヘッド
２２６  プラスチック底板
２２７  プラスチック突起
２２８  シリコーンスリーブ
２２９  シリコーンマッサージコンタクト
２３  マッサージヘッド
２４  発熱マッサージヘッド
２４１  マッサージコンタクト
２４２  可撓性発熱シート
２４３  リード線
２４４  押圧ポスト
２４５  底板
２４６  内側発熱部
２４７  外側発熱部
２４８  間隔
２５  外側
２６  内側
３０  駆動アセンブリ
３１  駆動モータ
３２  偏心ホイールアセンブリ
３２１  偏心ホイールハウジング
３２２  カバー
３３  伝動軸
３４  第１のギア
３５  第２のギア
４０  補助カバー
４１  第２の球面
４２  貫通孔
５０  軟質ゴムスリーブ
５１  環状突起
６０  位置決めリング
７０  シリコーン保護カバー。
【図１】
2020528769.tif 000003
【図２】
2020528769.tif 000004
【図３】
2020528769.tif 000005
【図４】
2020528769.tif 000006
【図５】
2020528769.tif 000007
【図６】
2020528769.tif 000008
【図７】
2020528769.tif 000009
【図８】
2020528769.tif 000010
【図９】
2020528769.tif 000011
【図１０】
2020528769.tif 000012
【図１１】
2020528769.tif 000013
【国際調査報告】
2020528769.tif 000014
2020528769.tif 000015
2020528769.tif 000016
2020528769.tif 000017